(57)【要約】【課題】表示面の形状を平坦面状とする場合や湾曲面状とする場合、及び、湾曲した表示面の曲率を変更する場合であっても、それらの全ての場合に対応して使用することが可能な表示装置を提供する。【解決手段】表示装置において、平行に対向して配置される少なくとも一対の第１フレーム２と、第１フレーム２と直交する向きに配置され、第１フレーム２に連結される少なくとも一対の可撓性を有する第２フレーム３、３ａと、長手方向に沿って複数の表示素子２１が取付けられ、第１フレーム２と平行に配置されて第２フレーム３、３ａに取付けられる複数の表示素子フレーム４と、を備える。【選択図】    図８
2008197446.tif 000002
【特許請求の範囲】
【請求項１】
平行に対向して配置される少なくとも一対の第１フレームと、
前記第１フレームと直交する向きに配置され、前記第１フレームに連結される少なくとも一対の可撓性を有する第２フレームと、
長手方向に沿って複数の表示素子が取付けられ、前記第１フレームと平行に配置されて前記第２フレームに取付けられる複数の表示素子フレームと、
を備えることを特徴とする表示装置。
【請求項２】
前記表示素子フレームに設けられて弾性を有する第１取付部と、
前記第２フレームに設けられ、前記第１取付部が着脱可能に取付けられる第２取付部と、
を備えることを特徴とする請求項１記載の表示装置。
【請求項３】
前記第１フレームに、他の前記表示装置の前記第１フレームに設けられた連結部に着脱可能に連結される連結部が設けられていることを特徴とする請求項１又は２記載の表示装置。
【発明の詳細な説明】
【技術分野】
【０００１】
本発明は、表示装置に関し、特に、ＬＥＤ等の表示素子を複数配列することにより大画面を構成する表示装置に関する。
【背景技術】
【０００２】
しばしば目にするように、屋内外の競技場や各種イベント会場、あるいは建物の外壁面（ビルボード）等には、複数のＬＥＤを縦横に配列して表示面を形成したＬＥＤ表示装置が据え付けられている。
【０００３】
このようなＬＥＤ表示装置の一例として、下記特許文献１に記載されたものが知られている。下記特許文献１に記載されたＬＥＤ表示装置は、鉄鋼製の外枠に、複数の長尺部材が取付けられ、長尺部材には長手方向に沿って複数のＬＥＤが取付けられている。複数の長尺部材は、互いに平行に配列され、隣合う長尺部材の間に隙間が設けられている。
【０００４】
したがって、このＬＥＤ表示装置によれば、全体の重量を軽量化することができる。また、このＬＥＤ表示装置を屋外で使用した場合には風が長尺部材の間の隙間を通過するため、ＬＥＤ表示装置が受ける風圧を大幅に低下させることができる。
【特許文献１】特開２００３−３１６２９８号公報
【発明の開示】
【発明が解決しようとする課題】
【０００５】
しかしながら、前述の特許文献１に記載されたＬＥＤ表示装置においては、以下の点について配慮がなされていない。
【０００６】
外枠は鉄鋼製であるため、ＬＥＤ表示装置の外形形状は固定されている。このため、ＬＥＤ表示装置の表示面を凸状、凹状又は波打状に湾曲させるためには、湾曲した形状の外枠を準備し、その外枠に長尺部材を取付けなければならない。
【０００７】
したがって、表示面の形状に応じて複数の外枠を準備する必要があり、例えば、表示面が平坦面となる外枠や、表示面が湾曲面となる外枠等を準備する必要がある。しかも、湾曲させたい表示面の曲率が異なる場合が予想され、表示面が湾曲面となる外枠について、曲率が異なるものを複数種類準備する必要がある。
【０００８】
このため、多種類の外枠を製造する必要が生じ、個々の外枠の製造コストがアップし、ひいては個々のＬＥＤ表示装置の製造コストがアップする。
【０００９】
また、必要とする曲率の外枠がない場合もあり、その場合には希望する曲率と異なる曲率の外枠を使用しなけばならない。
【００１０】
本発明はこのような課題を解決するためになされたもので、その目的は、表示面の形状を平坦面状とする場合や湾曲面状とする場合、及び、湾曲した表示面の曲率を変更する場合であっても、それらの全ての場合に対応して使用することが可能な表示装置を提供することである。
【課題を解決するための手段】
【００１１】
本発明の実施の形態に係る特徴は、表示装置において、平行に対向して配置される少なくとも一対の第１フレームと、前記第１フレームと直交する向きに配置され、前記第１フレームに連結される少なくとも一対の可撓性を有する第２フレームと、長手方向に沿って複数の表示素子が取付けられ、前記第１フレームと平行に配置されて前記第２フレームに取付けられる複数の表示素子フレームと、を備えることである。
【発明の効果】
【００１２】
本発明によれば、表示装置における表示面の形状を平坦面状とする場合や湾曲面状とする場合、及び、湾曲した表示面の曲率を変更する場合であっても、それらの全ての場合に対応して使用することが可能な表示装置を提供することができる。
【発明を実施するための最良の形態】
【００１３】
以下、本発明の一実施の形態を図面を用いて説明する。
【００１４】
表示装置であるＬＥＤ表示装置１は、図１ないし図３に示すように、平行に対向して配置される一対の長尺状の第１フレーム２と、長尺状の３本の第２フレーム３、３ａと、長尺状の複数本の表示素子フレーム４と、長尺状の１本の補強フレーム５とを備えている。
【００１５】
第１フレーム２は、金属製の部材であり、断面形状をＵ字形に形成されている。第１フレーム２の長手方向の一端には、連結部である第１連結部６が設けられ、第１フレーム２の長手方向の他端には、連結部である第２連結部７が設けられている。これらの第１連結部６と第２連結部７とは、２つのＬＥＤ表示装置１を第１フレーム２の長手方向に沿った位置で連結する場合に使用されるもので、一つのＬＥＤ表示装置１の第１連結部６と他のＬＥＤ表示装置１の第２連結部７とが着脱可能に連結される。
【００１６】
第１連結部６は、図４に示すように、支持軸８を中心として回動可能に第１フレーム２に取付けられたフック９と、フック９を第１連結部６と第２連結部７との連結方向へ回動する向きに付勢する引張バネ１０とを備えている。フック９には、フック９を回動操作するハンドル部１１と、フック９の回動位置を規制するストッパ１２とが形成されている。
【００１７】
第２連結部７は、図５に示すように、第１フレーム２に固定されたカムケース１３と、カムケース１３に取付けられたカム軸１４と、カム軸１４に取付けられてカム軸１４と一体に回転する操作ハンドル１５とを有している。カム軸１４は、円柱状の軸部１４ａとカム部１４ｂとから形成され、カム部１４ｂの外周部の一部には他の部分より突出した凸状偏心部１４ｃが形成されている。なお、カムケース１３は平行に対向する２枚の板状部材１３ａを有し、２枚の板状部材１３ａを貫通してカム軸１４が取付けられ、カム部１４ｂは２枚の板状部材１３ａの間に配置され、操作ハンドル１５は一方の板状部材１３ａの外側に配置されている。操作ハンドル１５の基部には２つの係合部１５ａ、１５ｂが形成され、一方の板状部材１３ａには２つの係合部１５ａ、１５ｂのいずれかに係合し、規定された回動位置でカム軸１４の回動を規制するバネ１６が取付けられている。
【００１８】
さらに、第１フレーム２の側面部には、連結部である一対の第３連結部１７が設けられている。この第３連結部１７は、２つのＬＥＤ表示装置１を第１フレーム２が平行に隣合う位置に配置して連結する場合に使用される。第３連結部１７は、一方のＬＥＤ表示装置１に設けられて回動可能なフック部と、他方のＬＥＤ装置１に設けられてフック部が係脱される係合部とにより構成される。
【００１９】
また、第１フレーム２には、後述するＬＥＤに電力を供給するための電源制御部１８が設けられている。
【００２０】
補強フレーム５は、金属製の部材であり、一対の第１フレーム２と平行に、かつ、一対の第１フレーム２の間の中間位置に配置されている。
【００２１】
第２フレーム３、３ａは、可撓性を有する材料、例えば、ポリカーボネートにより形成された長尺状の部材である。第２フレーム３、３ａは、第１フレーム２と直交する向きに配置され、長手方向の両端部が第１フレーム２にボルト締めされ、長手方向の中間部が補強フレーム５にボルト締めされている。３本の第２フレーム３、３ａのうちの中央に位置する第２フレーム３ａには、後述するＬＥＤの点灯状態を制御する複数の信号分配基板１９が取付けられている。
【００２２】
表示素子フレーム４は、ＰＢＴ樹脂により形成された長尺状の部材であり、第１フレーム２と平行に配置され、かつ、隣合う第１フレーム２との間に隙間Ａをもって配置されている。表示素子フレーム４の長手方向の両端部は、第２フレーム３、３ａに着脱可能に取付けられている。
【００２３】
表示素子フレーム４には、図６に示すように、表示素子フレーム４の長手方向に延びる配線基板２０が設けられている。配線基板２０には、表示素子である複数のＬＥＤ２１が取付けられ、これらのＬＥＤ２１は表示素子フレーム４の長手方向に沿って配列されている。これらのＬＥＤ２１は、電源制御部１８から電力が供給され、及び、信号分配基板１９により点灯制御され、画像表示が行われる。ＬＥＤ２１や配線基板２０、及び、信号分配基板１９や電源制御部１８は防水処理が施され、ＬＥＤ表示装置１は屋外での使用に耐えられる構成とされている。
【００２４】
表示素子フレーム４の長手方向の両端部には、図６及び図７に示すように取付溝２２が形成され、この取付溝２２に弾性を有する第１取付部２３が着脱可能に取付けられている。第１取付部２３は、大径基部２３ａと頭部２３ｂとを有する柱状に形成された部材で、材料としてゴムが使用されている。頭部２３ｂには、頭部２３ｂを縮径方向に変形させることを可能とするスリット２３ｃが形成されている。表示素子フレーム４への第１取付部２３の取付けは、第１取付部２３を横方向（図７に示す矢印Ｂ方向）へスライドさせ、大径基部２３ａを取付溝２２に係合させることにより行われる。
【００２５】
第２フレーム３、３ａには、第２取付部である取付穴２４が形成されている。取付穴２４の内径寸法は、スリット２３ｃの隙間を小さくする方向に縮径させた頭部２３ｂが挿入可能で、縮径状態を解除した頭部２３ｂが抜け止めされる寸法に形成されている。表示素子フレーム４に取付けられた第１取付部２３の頭部２３ｂを取付穴２４に係合させることにより、表示素子フレーム４が第２フレーム３、３ａに着脱可能に取付けられる。
【００２６】
このような構成において、ＬＥＤ表示装置１は、隣合う表示素子フレーム４の間に隙間Ａが形成されているため、ＬＥＤ表示装置１が大型になった場合でも軽量化を図ることができる。
【００２７】
また、隣合う表示素子フレーム４の間に隙間Ａが形成されているため、ＬＥＤ表示装置１を屋外に設置した場合、風が吹いてもその風が隙間Ａを通過する。これにより、ＬＥＤ表示装置１に作用する風圧が低下し、ＬＥＤ表示装置１の構造強度や取付強度を低く抑えることができ、装置や施工のコストを低く抑えることができる。
【００２８】
ＬＥＤ表示装置１の設置状態としては、図１に示すように表示面が平坦面状となるように設置する場合や、図８に示すように表示面が湾曲面状となるように設置する場合や、あるいは、表示面が波打面状となるように設置する場合がある。
【００２９】
ＬＥＤ表示装置１の表示面は、可撓性を有する第２フレーム３、３ａを直線状とすることにより図１に示すような平坦面形状とすることができ、第２フレーム３、３ａを湾曲させることにより図８に示すような湾曲面状とすることができ、さらには、第２フレーム３、３ａを複数段に湾曲させることにより波打面状とすることができる。
【００３０】
したがって、使用するＬＥＤ表示装置１が同一構造であるにも係わらず、ＬＥＤ表示装置１の設置場所や使用状況などに応じて表示面の形状を様々に変えることができ、１つのＬＥＤ表示装置１の汎用性が高くなり、ＬＥＤ表示装置１の製造コストを低く抑えることができる。
【００３１】
第２フレーム３、３ａを湾曲させることにより表示面の形状を湾曲面状とした場合には、表示面を湾曲させた状態でＬＥＤ表示装置１を取付部材や壁面あるいは柱等にボルト等で固定し、湾曲させた表示面の形状を維持するようにする。
【００３２】
なお、図８は、表示面を左右方向で湾曲させた場合を例に挙げて示しているが、表示面を上下方向で湾曲させる場合には、ＬＥＤ表示装置１の取付向きを９０°変更し、第２フレーム３、３ａが上下方向を向くように設置すればよい。
【００３３】
第２フレーム３、３ａへの表示素子フレーム４の取付けは、表示素子フレーム４に取付けられた弾性を有する第１取付部２３を、第２フレーム３、３ａに形成された取付穴２４に係合させることにより行われている。このため、表示素子フレーム４を第２フレーム３、３ａに着脱する場合や、第２フレーム３、３ａを湾曲させる場合において、表示素子フレーム４の配線基板２０に作用する負荷を第１取付部２３によって低減させることができ、配線基板２０に作用する負荷により配線基板２０が破損するということを防止することができる。
【００３４】
また、表示素子フレーム４は第２フレーム３、３ａに対して着脱可能に取付けられているため、必要に応じて取付ける表示素子フレーム４の数を変更することができる。ＬＥＤ表示装置１に取付ける表示素子フレーム４の数を増やした場合には、表示される画像の高画質化を図ることができる。一方、ＬＥＤ表示装置１に取付ける表示素子フレーム４の数を減らした場合には、ＬＥＤ２１を消灯することによりＬＥＤ表示装置１の裏側を見通せるような演出を可能とすることができる。
【００３５】
ＬＥＤ表示装置１の使用形態としては、1つのＬＥＤ表示装置１を単独で使用する場合と、２以上のＬＥＤ表示装置１を上下方向や左右方向に連結して使用する場合とがある。２以上のＬＥＤ表示装置１を上下方向に連結して使用する場合には、ＬＥＤ表示装置１に設けられた第１連結部６と他のＬＥＤ表示装置１に設けられた第２連結部７とを連結することにより行う。
【００３６】
この連結手順を、図９ないし図１１に基づいて説明する。まず、一つのＬＥＤ表示装置１を設置場所に取付け、その下側に他のＬＥＤ表示装置１を配置し、図９（ａ）に示すように、第２連結部７と第１連結部６とを上下方向で対向させる。ついで、下側のＬＥＤ表示装置１を持ち上げ、フック９をカムケース１３の２枚の板状部材１３ａの間に侵入させる。フック９が板状部材１３ａの間に侵入することにより、フック９の外周側曲面９ａがカム部１４ｂの外周面に当接する。引き続き下側のＬＥＤ表示装置１を持ち上げると、図９（ｂ）に示すように、フック９が支持軸８を中心として矢印Ｃ方向に回動する。なお、この場合のカム軸１４は、バネ１６が一方の係合部１５ａに係合され、凸状偏心部１４ｃが水平方向を向く位置で固定されている。
【００３７】
引き続き下側のＬＥＤ表示装置１を持ち上げ、下側のＬＥＤ表示装置１の第１フレーム２の上端部と、上側のＬＥＤ表示装置１の第１フレーム２の下端部とを当接させると、図１０（ａ）に示すように、フック９が引張バネ１０の付勢力により矢印Ｃ´方向に回動し、ストッパ１２が第１フレーム２に当接する元の位置に戻る。この状態において、フック９の内側内周面９ｂとカム部１４ｂの上側の外周面との間には、隙間Ｄが生じている。
【００３８】
図１０（ａ）に示す状態から、下側のＬＥＤ表示装置１を持ち上げる力をなくすと、下側のＬＥＤ表示装置１は自重により下方へ移動し、図１０（ｂ）に示すようにフック９がカム部１４ｂに引っ掛かる。この場合、下側のＬＥＤ表示装置１の第１フレーム２の上端部と、上側のＬＥＤ表示装置１の第１フレーム２の下端部との間には隙間Ｅが生じる。この隙間Ｅの寸法は、図１０（ａ）に示す隙間Ｄの寸法と略同じである。
【００３９】
図１０（ｂ）の状態からカム軸１４の操作ハンドル１５を操作し、凸状偏心部１４ｃが上向きとなる位置へカム軸１４を回動させる。凸状偏心部１４ｃが上向きとなる位置へ回動することにより、フック９が凸状偏心部１４ｃにより押上げられ、フック９と共に下側のＬＥＤ表示装置１が上方へ移動し、図１１に示すように、下側のＬＥＤ表示装置１の第１フレーム２の上端部と、上側のＬＥＤ表示装置１の第１フレーム２の下端部とが当接する。これにより、上下方向で連結した２つのＬＥＤ表示装置１の連結状態が安定し、連結部分でのふら付きが防止される。なお、凸状偏心部１４ｃが上向きとなる位置へカム軸１４が回動した場合には、操作ハンドル１５の基部に形成された係合部１５ｂにバネ１６が係合され、カム軸１４の回動が規制される。
【００４０】
図１１に示すように上下方向で連結されている２つのＬＥＤ表示装置１の連結を解除する場合は、カム軸１４の操作ハンドル１５を操作し、図１０（ｂ）に示すように凸状偏心部１４ｃが水平向きとなる位置へカム軸１４を回動させる。ついで、図１０（ａ）に示すように下側のＬＥＤ表示装置１を持ち上げ、ハンドル部１１を把持してフック９を図９（ｂ）に示すように矢印Ｃ方向へ回動操作し、フック９のカム軸１４への係合を解除する。フック９のカム軸１４への係合を解除することにより、上下の２つのＬＥＤ表示装置１の連結が解除される。
【００４１】
２つのＬＥＤ表示装置１を左右方向に連結する場合は、ＬＥＤ表示装置１の第１フレーム２に設けられた第３連結部１７と、他のＬＥＤ表示装置１の第１フレーム２に設けられた第３連結部１７とを用いて連結する。
【図面の簡単な説明】
【００４２】
【図１】本発明の一実施の形態に係るＬＥＤ表示装置を示す正面図である。
【図２】図１に示すＬＥＤ表示装置の平面図である。
【図３】図１に示すＬＥＤ表示装置の側面図である。
【図４】第１フレームの上端側に設けられた第１連結部を示す側面図である。
【図５】第１フレームの下端側に設けられた第２連結部を示す側面図である。
【図６】第２フレームへの表示素子フレームの取付構造を示す断面図である。
【図７】表示素子フレームへの第１取付部の取付構造を示す分解斜視図である。
【図８】第２フレームを湾曲させて表示面を湾曲面状に変更したＬＥＤ表示装置を示す斜視図である。
【図９】２つのＬＥＤ表示装置を上下方向で連結する場合の手順図である。
【図１０】２つのＬＥＤ表示装置を上下方向で連結する場合の手順図である。
【図１１】２つのＬＥＤ表示装置を上下方向で連結する場合の手順図である。
【符号の説明】
【００４３】
２    第１フレーム
３、３ａ  第２フレーム
４    表示素子フレーム
６    連結部
７    連結部
１７    連結部
１９    表示素子
２１    第１取付部
２２    第２取付部
【図１】
2008197446.tif 000003
【図２】
2008197446.tif 000004
【図３】
2008197446.tif 000005
【図４】
2008197446.tif 000006
【図５】
2008197446.tif 000007
【図６】
2008197446.tif 000008
【図７】
2008197446.tif 000009
【図８】
2008197446.tif 000010
【図９】
2008197446.tif 000011
【図１０】
2008197446.tif 000012
【図１１】
2008197446.tif 000013